(57)【特許請求の範囲】
【請求項１】
室内機と、
この室内機の室内空間側の面に設けられた表示部と、
空気調和機に関する情報に基づいて、前記表示部に表示させるＡＲ（拡張現実）マーカの表示情報を演算する演算部と、
前記演算部で演算された表示情報に基づいて、前記空気調和機に関する情報に対応するＡＲマーカを表示させる駆動制御信号を生成し、前記表示部へ出力する表示駆動部と、
を備え、
前記表示部は、複数設けられ、
前記演算部は、前記空気調和機に関する情報が複数の前記表示部の数に対応するように断片化された情報に基づいて、複数の前記表示情報を演算し、
前記表示駆動部は、前記演算部からの前記各表示情報に基づいて、複数の前記断片化された情報に対応する複数の前記ＡＲマーカを表示させる駆動制御信号を生成し、複数の前記表示部へ出力することを特徴とする空気調和機。
【請求項２】
室内機と、
この室内機の室内空間側の面に設けられた表示部と、
空気調和機に関する情報に基づいて、前記表示部に表示させるＡＲ（拡張現実）マーカの表示情報を演算する演算部と、
前記演算部で演算された表示情報に基づいて、前記空気調和機に関する情報に対応するＡＲマーカを表示させる駆動制御信号を生成し、前記表示部へ出力する表示駆動部と、
を備え、
前記表示部は、複数設けられ、
前記演算部は、複数の前記表示部の数以下の複数の前記空気調和機に関する情報に基づいて、複数の前記表示情報を演算し、
前記表示駆動部は、前記演算部からの前記各表示情報に基づいて、前記各空気調和機に関する情報に対応する複数の前記ＡＲマーカを表示させる駆動制御信号を生成し、複数の前記表示部へ出力することを特徴とする空気調和機。
【請求項３】
室内機と、
この室内機の室内空間側の面に設けられた表示部と、
空気調和機に関する情報に基づいて、前記表示部に表示させるＡＲ（拡張現実）マーカの表示情報を演算する演算部と、
前記演算部で演算された表示情報に基づいて、前記空気調和機に関する情報に対応するＡＲマーカを表示させる駆動制御信号を生成し、前記表示部へ出力する表示駆動部と、
を備え、
前記室内機の室内空間側の面、かつ、前記表示部以外の位置には、前記室内機を所定方向から見た場合にはＡＲマーカと認識され、かつ、所定方向とは異なる方向から見た場合にはＡＲマーカと認識されないように断片化された複数のＡＲマーカが表示されていることを特徴とする空気調和機。
【請求項４】
室内機と、
この室内機の室内空間側の面に設けられた表示部と、
空気調和機に関する情報に基づいて、前記表示部に表示させるＡＲ（拡張現実）マーカの表示情報を演算する演算部と、
前記演算部で演算された表示情報に基づいて、前記空気調和機に関する情報に対応するＡＲマーカを表示させる駆動制御信号を生成し、前記表示部へ出力する表示駆動部と、
を備え、
前記室内機の室内空間側の面、かつ、前記表示部以外の位置には、前記室内機を第１の方向から見た場合にはＡＲマーカと認識され、第２の方向から見た場合にはＡＲマーカと認識され、前記第１の方向および前記第２の方向とは異なる方向から見た場合にはＡＲマーカと認識されないように断片化された複数のＡＲマーカが表示されていることを特徴とする空気調和機。
【請求項５】
前記演算部は、前記空気調和機に関する情報として、空気調和機の固有情報と空気調和機の運転状態情報との少なくとも一方の情報に基づいて、前記表示情報を演算することを特徴とする請求項１〜４の何れか１つに記載の空気調和機。
【請求項６】
前記空気調和機の固有情報には、空気調和機の機種名、能力、号機、および製造番号の少なくとも何れかが含まれることを特徴とする請求項１〜５の何れか１つに記載の空気調和機。
【請求項７】
前記空気調和機の運転状態情報には、空気調和機の運転／停止、冷房／暖房、設定温度、風速、および異常の少なくとも何れかが含まれることを特徴とする請求項１〜６の何れか１つに記載の空気調和機。
【請求項８】
リモートコントローラにおいて前記ＡＲマーカを表示または非表示とする操作が行われたとき、この操作に応じた表示切替情報を受信する通信制御部を備え、
前記演算部は、前記通信制御部からの表示切替情報が前記ＡＲマーカを表示させる情報である場合、前記表示情報を演算し、前記通信制御部からの表示切替情報が前記ＡＲマーカを非表示とする情報である場合、前記表示情報の演算を停止することを特徴とする請求項１〜７の何れか１つに記載の空気調和機。    
【発明の詳細な説明】
【技術分野】
【０００１】
本発明は、空気調和機に関するものである。
【背景技術】
【０００２】
従来の空気調和機は、室内に存在する人に対して、室内機に設けられた液晶表示部を通じて室内温度などを提供するように構成されている。例えば下記特許文献１に示される従来の空気調和機は、リモコンで表示情報の切り替え操作が行われたときに、液晶表示部に表示される内容を、通常の運転状態表示（運転／停止、冷房／暖房、設定温度など）から室内温度を含めた予め定められた情報表示へ切り替えることにより複数の情報を提供するように構成されている。
【先行技術文献】
【特許文献】
【０００３】
【特許文献１】特開平１１−１５９８４８号公報
【発明の概要】
【発明が解決しようとする課題】
【０００４】
しかしながら、上記特許文献１に代表される従来技術では、空気調和機の運転状態を室内機に設けられた表示部に表示することができるものの、例えば天井埋込形の室内機のように比較的人と離れた場所に設置される室内機にこれらの表示が行われている場合、表示内容が相対的に小さくなるため、運転状態を確認するためには室内機から離れた場所に設けられたリモートコントローラ（以下「リモコン」）に表示される情報などを確認しなければならない。このように従来技術では、室内機が空調空間内の人と離れた場所に設置されているような場合においては、室内機に表示される運転状態を即座に確認することができない場合があるという課題があった。
【０００５】
本発明は、上記に鑑みてなされたものであって、室内機の設置場所に拘わらず空気調和機に関する情報を即座に確認することが可能な空気調和機を得ることを目的とする。
【課題を解決するための手段】
【０００６】
上述した課題を解決し、目的を達成するために、本発明は、室内機と、この室内機の室内空間側の面に設けられた表示部と、空気調和機に関する情報に基づいて、前記表示部に表示させるＡＲ（拡張現実）マーカの表示情報を演算する演算部と、前記演算部で演算された表示情報に基づいて、前記空気調和機に関する情報に対応するＡＲマーカを表示させる駆動制御信号を生成し、前記表示部へ出力する表示駆動部と、を備え、前記表示部は、複数設けられ、前記演算部は、前記空気調和機に関する情報が複数の前記表示部の数に対応するように断片化された情報に基づいて、複数の前記表示情報を演算し、前記表示駆動部は、前記演算部からの前記各表示情報に基づいて、複数の前記断片化された情報に対応する複数の前記ＡＲマーカを表示させる駆動制御信号を生成し、複数の前記表示部へ出力することを特徴とする。
【発明の効果】
【０００７】
この発明によれば、室内機の室内空間側の面にＡＲマーカを表示するようにしたので、室内機の設置場所に拘わらず空気調和機に関する情報を即座に確認することができる、という効果を奏する。
【図面の簡単な説明】
【０００８】
【図１】図１は、本発明の実施の形態１にかかる空気調和機の室内機を下面側から示す斜視図である。
【図２】図２は、空気調和機の機能構成を表す図である。
【図３】図３は、空気調和機の実像とＡＲマーカに基づくＣＧとを組み合わせて通信端末に表示させる第１の例を説明するための図である。
【図４】図４は、空気調和機の実像とＡＲマーカに基づくＣＧとを組み合わせて通信端末に表示させる第２の例を説明するための図である。
【図５】図５は、本発明の実施の形態２にかかる空気調和機の室内機を下面側から示す斜視図である。
【図６】図６は、本発明の実施の形態３にかかる空気調和機の室内機を下面側から示す斜視図である。
【図７】図７は、断片化された複数のＡＲマーカが通信端末において１つの大きなＡＲマーカとして認識された状態を模式的に示す図である。
【図８】図８は、本発明の実施の形態４にかかる空気調和機の室内機を下面側から示す斜視図である。
【図９】図９は、本発明の実施の形態５にかかる空気調和機の室内機を下面側から示す斜視図である。
【図１０】図１０は、室内機を所定方向から見た場合のＡＲマーカを説明するための図である。
【図１１】図１１は、本発明の実施の形態６にかかる空気調和機の室内機を下面側から示す斜視図である。
【図１２】図１２は、室内機を所定方向から見た場合のＡＲマーカを説明するための図である。
【発明を実施するための形態】
【０００９】
以下に、本発明にかかる空気調和機の実施の形態を図面に基づいて詳細に説明する。なお、この実施の形態によりこの発明が限定されるものではない。
【００１０】
実施の形態１．
図１は、本発明の実施の形態１にかかる空気調和機１００の室内機を下面側から示す斜視図である。図１には、空気調和機１００の室内機として、被空調室の天井板に設けられた開口部へ挿入され室内側からの締結部材によって天井に固定される天井埋込形の室内機が示されている。室内空調空間側に設けられた室内機下面には、熱交換空気を吹出し案内する複数の吹出口１６と室内空気を吸込み案内する吸込口１０とを備えた化粧パネル１７が設けられている。吸込口１０は、化粧パネル１７のほぼ中央部に設けられ、各吹出口１６は、方形状に形成された室内機下面の周辺部１８に形成されている。室内機本体１９の内部には、送風機、室内熱交換器、ベルマウスなどが収容されている。なお、空気調和機１００の室内機は、天井埋込形の室内機に限定されるものではなく、壁掛形、床置き形、天吊り形などの形態であってもよい。
【００１１】
室内機下面には、吸込口１０および吹出口１６などに干渉しない位置に配置された表示部２が設けられている。表示部２は、例えば多数のサブ画素を格子状に配列したドットマトリクスによる液晶パネルである。この表示部２には、ＡＲ（拡張現実：Augmented Reality）マーカ（ＡＲを実現するためのバーコードなどのパターン）３０が表示される。なお、表示部２は、空気調和機１００の運転状態（運転または停止、冷房運転モード、暖房運転モード、設定温度、現在温度、風向など）を表す文字情報などを、ＡＲマーカ３０と共に表示するように構成してもよい。
【００１２】
表示部２の配置場所は、吸込口１０および吹出口１６などに干渉しない位置であれば、室内空調空間側の何れの場所でもよく、図１に示されるように天井埋込形の室内機の場合、室内機下面の周辺部１８側の角部であってもよいし、吸込口１０と吹出口１６との間の隙間部分であってもよい。また、壁掛形の室内機の場合、室内機正面に配設される意匠面の中央部あるいは周辺部１８側の角部であってもよい。
【００１３】
図２は、空気調和機１００の機能を表す構成図であり、図２には一例として空気調和機１００の機能構成例が２つ示されている。図２（ａ）に示される空気調和機１００ａは、第１の機能構成例を表し、図２（ｂ）に示される空気調和機１００ｂは、第２の機能構成例を表すものである。
【００１４】
図２（ａ）に示される空気調和機１００ａは、主たる構成として、空気調和機と特定するための固有情報４ａを記憶する記憶部４と、ＣＰＵ５と、ＣＰＵ５からの表示情報５ａに応じて表示部２を駆動制御する信号を出力する表示駆動部６と、この表示駆動部６からの駆動制御信号に従ってＡＲマーカ３０ａを表示する表示部２とを有して構成されている。なお、空気調和機１００ａは、これらの機能以外にも、例えば室内に空気を送風するためのファンモータやその風向を変更するステッピングモータなどを駆動する回路、室外機との通信回路、リモコン受信回路、温度検知回路などを有して構成されている。
【００１５】
記憶部４に記録される固有情報４ａとしては、空気調和機１００ａの出荷時に設定される情報であって例えば（ａ）機種名、（ｂ）能力、（ｃ）号機、（ｄ）製造工程での製造番号などである。なお固有情報４ａは、空気調和機１００を特定する固有の情報であればよく、これらに限定されるものではない。
【００１６】
図２（ａ）に示される空気調和機１００ａの動作を説明する。記憶部４からの固有情報４ａがＣＰＵ５に入力されたとき、ＣＰＵ５では、固有情報４ａに基づいて表示部２に表示させるＡＲマーカ３０ａの表示情報５ａが演算され、演算された表示情報５ａが表示駆動部６に入力される。表示駆動部６では、固有情報４ａに対応するＡＲマーカ３０ａを表示部２に表示させるように、ＣＰＵ５からの表示情報５ａに応じて駆動制御信号を出力する。そして、表示部２では、この駆動制御信号に基づいて固有情報４ａに関するＡＲマーカ３０ａが表示される。
【００１７】
図２（ｂ）に示される空気調和機１００ｂは、主たる構成として、運転状態検出部７、記憶部４、ＣＰＵ５、表示駆動部６、および表示部２を有して構成されている。図２（ａ）の空気調和機１００ａとの相違点は、運転状態検出部７が設けられ、ＣＰＵ５が、この運転状態検出部７からの運転状態情報７ａに基づいて表示部２に表示させるＡＲマーカ３０ｂの表示情報５ａを演算するように構成されている点である。
【００１８】
なお、空気調和機１００ｂは、これらの機能以外にも、例えば室内に空気を送風するためのファンモータなどを駆動する回路、リモコン信号受信回路、温度検知回路、異常検知部などを有して構成されている。空気調和機１００ｂの運転状態検出部７は、例えばリモコン信号受信回路からのリモコン信号に基づいて（ａ）運転／停止、（ｂ）冷房／暖房、（ｃ）設定温度、（ｄ）風速などを検出し、異常検知部からの異常検知信号に基づいて（ｅ）異常を検出し、検出された情報を運転状態情報７ａとして出力する。なお、運転状態検出部７で検出される運転状態情報７ａは、これらに限定されるものではなく、空気調和機１００の運転状態を表す情報であれば何れの情報であってもよい。
【００１９】
図２（ｂ）に示される空気調和機１００ｂの動作を説明する。運転状態検出部７からの運転状態情報７ａがＣＰＵ５に入力されたとき、ＣＰＵ５では、運転状態情報７ａに基づいて表示部２に表示させるＡＲマーカ３０ｂの表示情報５ａが演算され、演算された表示情報５ａが表示駆動部６に入力される。表示駆動部６では、運転状態情報７ａに対応するＡＲマーカ３０ｂを表示部２に表示させるように、ＣＰＵ５からの表示情報５ａに応じて駆動制御信号を出力する。そして、表示部２では、この駆動制御信号に基づいて運転状態情報７ａに関するＡＲマーカ３０ｂが表示される。
【００２０】
図３は、空気調和機１００の実像とＡＲマーカ３０ａに基づくＣＧ２０とを組み合わせて通信端末に表示させる第１の例を説明するための図である。図３には、カメラ１３を搭載したスマートフォン１１と、このカメラ１３で撮影される空気調和機１００と、この空気調和機１００の表示部２に表示されるＡＲマーカ３０ａの撮像データに基づいてスマートフォン１１の表示部に表示されたＣＧ２０とが示されている。なお、図３には一例としてスマートフォン１１を用いた例が示されているが、スマートフォン１１に限定されるものではなく、例えばＰＤＡ、ラップトップコンピュータなどの携帯形電子デバイスであればよい。サーバ１４には、例えばＡＲマーカ３０ａの撮像データと空気調和機１００の固有情報に関するＣＧデータとが対応付けて記録され、あるいは、ＡＲマーカ３０ａの撮像データと空気調和機１００の運転状態情報７ａに関するＣＧデータとが対応付けて記録されている。
【００２１】
ＣＧ２０の表示動作を具体的に説明すると、スマートフォン１１のカメラ１３で空気調和機１００のＡＲマーカ３０ａが撮影された場合、スマートフォン１１からサーバ１４に対してデータ要求信号が送信され、サーバ１４からの応答信号がスマートフォン１１に受信されたとき、スマートフォン１１は、撮影されたＡＲマーカ３０ａの撮像データを所定のフレームに設定してサーバ１４へ送信する。このフレームを受信したサーバ１４では、撮像データに対応するＣＧデータを所定のフレームに設定してスマートフォン１１へ送信する。撮像データに対応するＣＧデータとしては、空気調和機１００の機種名や製造番号などに対応した分解要領手順などである。このようなＣＧデータを受信したスマートフォン１１では、ＣＧデータに基づいて分解要領手順などのＣＧ２０が再現され、カメラで撮影された実像とＣＧ２０とが組み合わされて画面に表示される。
【００２２】
このように、空気調和機１００の実像にＡＲマーカ３０ａに基づくＣＧ２０を組み合わせて表示させることによって、例えば機種が異なる複数の室内機群の内、一部の室内機に異常が生じたような場合、その室内機をスマートフォン１１で撮影するだけで、撮影された空気調和機１００に関する分解要領手順をスマートフォン１１の画面に表示させることができる。その結果、使用者は、この分解要領手順を確認しながら空気調和機１００の異常に対して対策を講じることが可能となる。
【００２３】
図４は、空気調和機１００の実像とＡＲマーカ３０ｂに基づくＣＧ２１とを組み合わせて通信端末に表示させる第２の例を説明するための図である。図３との相違点は、スマートフォン１１の画面に運転状態情報７ａに関するＣＧ２１が表示されている点である。このように空気調和機１００の実像にＡＲマーカ３０ｂに基づくＣＧ２１を組み合わせて表示させることによって、使用者がリモコンの設置場所から遠い場所にいる場合でも、リモコンの場所に行くことなく、スマートフォン１１の画面を通じて空気調和機１００の運転状態を確認することが可能となる。
【００２４】
以上に説明したように、実施の形態１にかかる空気調和機１００は、室内機と、この室内機の室内空間側の面に設けられた表示部２と、空気調和機１００に関する情報に基づいて、前記表示部２に表示させるＡＲマーカ３０ａ、３０ｂの表示情報５ａを演算する演算部（ＣＰＵ５）と、ＣＰＵ５で演算された表示情報５ａに基づいて、前記空気調和機１００に関する情報に対応するＡＲマーカ３０ａを表示させる駆動制御信号を生成し、表示部２へ出力する表示駆動部６と、を備えるようにしたので、スマートフォン１１を用いてＡＲマーカ３０ａ、３０ｂを撮影することによって、撮影された空気調和機１００に関する情報をスマートフォン１１の画面に表示させることができる。その結果、使用者は、室内機の設置場所に拘わらず空気調和機１００に関する情報を即座に確認することができる。
【００２５】
また、実施の形態１にかかる空気調和機１００のＣＰＵ５は、空気調和機１００に関する情報として、空気調和機１００の固有情報４ａと空気調和機１００の運転状態情報７ａとの少なくとも一方の情報に基づいて表示情報５ａを演算するようにしたので、スマートフォン１１を用いてＡＲマーカ３０ａ、３０ｂを撮影することによって、空気調和機１００の固有情報４ａあるいは運転状態情報７ａをスマートフォン１１の表示画面に表示させることが可能となる。
【００２６】
また、実施の形態１にかかる空気調和機１００の固有情報４ａには、空気調和機１００の機種名、能力、号機、および製造番号の少なくとも何れかが含まれるようにしたので、例えば空気調和機１００に異常が生じた場合でも、その室内機をスマートフォン１１で撮影するだけで、撮影された空気調和機１００に関する情報をスマートフォン１１の画面に表示させることができる。その結果、使用者は、その情報を確認しながら空気調和機１００の異常に対して対策を講じることが可能となる。
【００２７】
また、実施の形態１にかかる空気調和機１００の運転状態情報７ａには、空気調和機１００の運転／停止、冷房／暖房、設定温度、風速、および異常の少なくとも何れかが含まれるようにしたので、室内機が空調空間内の人と離れた場所に設置されているような場合でも、その室内機をスマートフォン１１で撮影するだけで、撮影された空気調和機１００の運転状態をスマートフォン１１の画面に表示させることができる。その結果、使用者は、離れた場所に設けられているリモコンの画面などを確認しなくとも、空気調和機１００の運転状態を即座に確認することが可能となる。
【００２８】
実施の形態２．
図５は、本発明の実施の形態２にかかる空気調和機１０１の室内機を下面側から示す斜視図である。以下、実施の形態１と同一部分には同一符号を付してその説明を省略し、ここでは異なる部分についてのみ述べる。
【００２９】
図５には、実施の形態２にかかる空気調和機１０１の室内機と、通信線９を介して室内機にリモコン８−１と、室内機へ無線方式で情報を送信するリモコン８−２と、室内機との間で双方向の無線伝送を行うリモコン８−３とが示されている。実施の形態１との相違点は、何れかのリモコン８−１、８−２、８−３によって、表示部２へのＡＲマーカ３０の表示または非表示を切り替え可能に構成されている点である。
【００３０】
以下動作を説明する。リモコン８−１〜８−３には、空気調和機１０１の室内機との間で情報の伝送を行う通信制御部（図示せず）が設けられ、リモコン８−１〜８−３の操作部（図示せず）においてＡＲマーカ３０を表示または非表示とする操作がされたとき、リモコン８−１〜８−３の通信制御部は、この操作に応じたＡＲマーカ３０の表示切替情報を生成し、生成された表示切替情報を所定の伝送フレームにセットしてリモコン信号を生成する。そして、このリモコン信号は、室内機に設けられた通信制御部（図示せず）へ送信される。室内機に設けられた通信制御部では、リモコン８−１〜８−３からのリモコン信号を受信したとき、この信号に含まれる表示切替情報がＣＰＵ５へ出力され、この表示切替情報を受信したＣＰＵ５では、表示切替情報がＡＲマーカ３０を表示させる情報である場合には表示情報５ａが演算され、表示切替情報がＡＲマーカ３０を非表示とする情報である場合には表示情報５ａの演算が停止される。
【００３１】
以上に説明したように、実施の形態２にかかる空気調和機１０１は、リモートコントローラ（リモコン８−１〜８−３）において前記ＡＲマーカ３０を表示または非表示とする操作が行われたとき、この操作に応じた表示切替情報を受信する通信制御部を備え、ＣＰＵ５は、前記通信制御部からの表示切替情報がＡＲマーカ３０を表示させる情報である場合、表示情報５ａを演算し、前記通信制御部からの表示切替情報がＡＲマーカ３０を非表示とする情報である場合、表示情報５ａの演算を停止するようにしたので、ＡＲマーカ３０の表示または非表示を使用者が任意に行うことが可能となる。
【００３２】
実施の形態３．
図６は、本発明の実施の形態３にかかる空気調和機１０２の室内機を下面側から示す斜視図であり、図７は、断片化された複数のＡＲマーカ３０−１〜３０−４が通信端末において１つの大きなＡＲマーカ３−５として認識された状態を模式的に示す図である。以下、実施の形態１と同一部分には同一符号を付してその説明を省略し、ここでは異なる部分についてのみ述べる。実施の形態１との相違点は、室内機下面に複数の表示部２−１、２−２、２−３、２−４が設けられ、断片化された複数のＡＲマーカ３０−１〜３０−４が各表示部２−１〜２−４に表示される点である。
【００３３】
以下動作を説明する。ここでは説明を簡単化するために、記憶部４に機種名に関する固有情報４ａが複数の断片化された情報（例えば第１〜第４の固有情報）として記録されていると仮定して、これらの固有情報に関するＡＲマーカ３０−１〜３０−４が表示される場合の動作を説明する。
【００３４】
ＣＰＵ５では、記憶部４からの第１〜第４の固有情報を受信したとき、第１〜第４の固有情報にそれぞれ対応した複数の表示情報５ａ（第１〜第４の表示情報）を演算して出力する。表示駆動部６では、第１〜第４の固有情報にそれぞれ対応した複数のＡＲマーカ３０−１〜３０−４を各表示部２−１〜２−４に表示させるように、ＣＰＵ５からの第１〜第４の表示情報に応じた駆動制御信号が生成される。その結果、表示部２−１には、第１の固有情報に対応したＡＲマーカ３０−１が表示される。同様に、表示部２−２には、第２の固有情報に対応したＡＲマーカ３０−２が表示され、表示部２−３には、第３の固有情報に対応したＡＲマーカ３０−３が表示され、表示部２−４には、第４の固有情報に対応したＡＲマーカ３０−４が表示される。
【００３５】
このように各表示部２−１〜２−４には、断片化された複数のＡＲマーカ３０−１〜３０−４が表示されるため、スマートフォン１１では、これらのＡＲマーカ３０−１〜３０−４が図７に示すように１つの大きなＡＲマーカ３−５として認識される。
【００３６】
なお、各表示部２−１〜２−４の数は、４つに限定されるものではなく２以上であればよいものとし、その場合のＡＲマーカは、その表示部の数に対応するように断片化されたものであればよい。
【００３７】
また、実施の形態３では、複数の断片化された固有情報４ａが予め記憶部４に記録されている場合の構成例を説明したが、これに限定されるものではなく、ＣＰＵ５が各表示部２−１〜２−４の数に対応するように記憶部４の断片化処理を行い、表示駆動部６がＣＰＵ５で断片化された複数の情報に応じた駆動制御信号を生成するように構成してもよい。運転状態情報７ａに関しても同様に、ＣＰＵ５が各表示部２−１〜２−４の数に対応するように運転状態情報７ａの断片化処理を行い、表示駆動部６がＣＰＵ５で断片化された複数の情報に応じた駆動制御信号を生成するように構成してもよい。
【００３８】
以上に説明したように、実施の形態３にかかる空気調和機１０２の表示部２は、複数設けられ、ＣＰＵ５は、空気調和機１０２に関する情報が各表示部２−１〜２−４の数に対応するように断片化された情報に基づいて、複数の表示情報５ａを演算し、表示駆動部６は、ＣＰＵ５からの各表示情報５ａに基づいて、複数の断片化された情報に対応する複数のＡＲマーカ３０−１〜３０−４を表示させる駆動制御信号を生成し、各表示部２へ出力するようにしたので、室内機に大きな表示部２を設けることができない場合でも、スマートフォン１１にＡＲマーカ３０−１〜３０−４の内容を認識させることが可能となる。
【００３９】
実施の形態４．
図８は、本発明の実施の形態４にかかる空気調和機１０３の室内機を下面側から示す斜視図である。以下、実施の形態３と同一部分には同一符号を付してその説明を省略し、ここでは異なる部分についてのみ述べる。実施の形態３との相違点は、内容が異なる複数のＡＲマーカ３１−１〜３１−４が各表示部２−１〜２−４に表示される点である。
【００４０】
以下動作を説明する。ＣＰＵ５は、例えば内容が異なる４つの固有情報４ａ（第１〜第４の固有情報）を受信したとき、各固有情報４ａを対応した４つの表示情報５ａ（第１〜第４の表示情報）を複数演算して出力する。表示駆動部６では、各固有情報４ａに対応したＡＲマーカ３１−１、３１−２、３１−３、３１−４を表示部２−１〜２−４に個別に表示させるように、ＣＰＵ５からの第１〜第４の表示情報に対応する駆動制御信号を表示部２−１〜２−４へ個別に出力する。そして、表示部２−１には、第１の固有情報に対応したＡＲマーカ３１−１が表示され、表示部２−２には、第２の固有情報に対応したＡＲマーカ３１−２が表示され、表示部２−３には、第３の固有情報に対応したＡＲマーカ３１−３が表示され、表示部２−４には、第４の固有情報に対応したＡＲマーカ３１−４が表示される。このように、各表示部２−１〜２−４には、内容が異なる複数のＡＲマーカ３１−１〜３１−４が表示される。
【００４１】
なお、実施の形態４では、４つの表示部２−１〜２−４にそれぞれ異なるＡＲマーカ３１−１〜３１−４が表示されるように構成された空気調和機１０３の実施例を説明したが、例えば表示部２−１と表示部２−３には同一種類のＡＲマーカを表示させて、表示部２−２と表示部２−４には、それぞれ異なる種類のＡＲマーカを表示させるように構成してもよい。
【００４２】
以上に説明したように、実施の形態４にかかる空気調和機１０３の表示部２は、複数設けられ、ＣＰＵ５は、各表示部２の数以下の複数の空気調和機１０３に関する情報に基づいて、複数の表示情報５ａを演算し、表示駆動部６は、ＣＰＵ５からの各表示情報５ａに基づいて、前記各空気調和機１０３に関する情報に対応する複数のＡＲマーカ３１−１〜３１−４を表示させる駆動制御信号を生成し、各表示部２へ出力するようにしたので、複数のＡＲマーカ３１−１〜３１−４を撮影したスマートフォン１１には、内容が異なる複数の情報を表示させることが可能となる。
【００４３】
実施の形態５．
図９は、本発明の実施の形態５にかかる空気調和機１０４の室内機を下面側から示す斜視図であり、図１０は、室内機を所定方向（例えば室内機下面の周辺部１８−１側）から見た場合のＡＲマーカ３２を説明するための図である。以下、実施の形態１と同一部分には同一符号を付してその説明を省略し、ここでは異なる部分についてのみ述べる。
【００４４】
実施の形態１との相違点は、室内機を所定方向から見た場合にはＡＲマーカと認識され、かつ、所定方向とは異なる方向（例えば室内機下面の周辺部１８−２、１８−３、１８−４側）から見た場合にはＡＲマーカと認識されないように、複数のＡＲマーカ３２−１〜３２−３が例えば吸込口１０の表面に表示されている点である。ＡＲマーカ３２としては、例えば空気調和機１０４の固有情報４ａを表すマーカである。
【００４５】
図１０に示すように室内機を所定方向からＡＲマーカ３２−１〜３２−３を見たとき、ＡＲマーカ３２−１〜３２−３は、あたかも１つのＡＲマーカ３２のように表示される。そのため、スマートフォン１１では、ＡＲマーカ３２−１〜３２−３がＡＲマーカ３２として認識される。
【００４６】
なお、断片化されたＡＲマーカ３２−１〜３２−３は、３つに限定されるものではなく、２以上に断片化されていればよいものとする。また、断片化されたＡＲマーカ３２−１〜３２−３が表示される位置は、吸込口１０に限定されるものではなく、表示部２以外の位置、かつ、室内機の室内空間側の面であれば何れの位置でもよい。例えば壁掛形の室内機の場合、室内機正面に配設される意匠面の中央部あるいは周辺部側に断片化されたＡＲマーカ３２−１〜３２−３を表示してもよい。
【００４７】
以上に説明したように、実施の形態５にかかる空気調和機１０４は、室内機の室内空間側の面、かつ、表示部２以外の位置に、室内機を所定方向から見た場合にはＡＲマーカ３２と認識され、かつ、所定方向とは異なる方向から見た場合にはＡＲマーカ３２と認識されないように断片化された複数のＡＲマーカ３２−１〜３２−３が表示されるようにしたので、室内機のデザインへの影響を抑えながらＡＲマーカ３２を埋め込むことが可能である。
【００４８】
実施の形態６．
図１１は、本発明の実施の形態６にかかる空気調和機１０５の室内機を下面側から示す斜視図であり、図１２は、室内機を所定方向から見た場合のＡＲマーカ３３ａ、３３ｂを説明するための図である。以下、実施の形態５と同一部分には同一符号を付してその説明を省略し、ここでは異なる部分についてのみ述べる。
【００４９】
実施の形態５との相違点は、室内機を第１の方向（例えば室内機下面の周辺部１８−１側の視点Ａ）から見た場合にはＡＲマーカ３３ａと認識され、第２の方向（例えば室内機下面の周辺部１８−３側の視点Ｂ）から見た場合にはＡＲマーカ３３ｂと認識され、第１の方向および第２の方向とは異なる方向から見た場合にはＡＲマーカ３３ａおよびＡＲマーカ３３ｂを認識することができないように断片化された複数のＡＲマーカ３３−１〜３３−３が、例えば吸込口１０の表面に表示されている点である。ＡＲマーカ３３ａとしては、例えば空気調和機１０５の固有情報４ａを表すマーカであり、ＡＲマーカ３３ｂとしては、例えば空気調和機１０５が故障等した際の連絡先などを表すマーカである。
【００５０】
図１２（ａ）に示すように、室内機を第１の方向からＡＲマーカ３３−１〜３３−３を見たとき、ＡＲマーカ３３−１〜３３−３は、あたかも１つのＡＲマーカ３３ａのように表示される。そのため、スマートフォン１１では、ＡＲマーカ３３−１〜３３−３がＡＲマーカ３３ａとして認識される。また、図１２（ｂ）に示すように、室内機を第２の方向からＡＲマーカ３３−１〜３３−３を見たとき、ＡＲマーカ３３−１〜３３−３は、あたかも１つのＡＲマーカ３３ｂのように表示される。そのため、スマートフォン１１では、ＡＲマーカ３３−１〜３３−３がＡＲマーカ３３ｂとして認識される。
【００５１】
なお、断片化されたＡＲマーカ３３−１〜３３−３は、３つに限定されるものではなく、２以上に断片化されていればよいものとする。また、断片化されたＡＲマーカ３３−１〜３３−３が表示される位置は、吸込口１０に限定されるものではなく、表示部２以外の位置、かつ、室内機の室内空間側の面であれば何れの位置でもよい。例えば壁掛形の室内機の場合、室内機正面に配設される意匠面の中央部あるいは周辺部側に断片化されたＡＲマーカ３３−１〜３３−３を表示してもよい。
【００５２】
以上に説明したように、実施の形態６にかかる空気調和機１０５は、室内機の室内空間側の面、かつ、表示部２以外の位置には、室内機を第１の方向から見た場合にはＡＲマーカ３３ａと認識され、第２の方向から見た場合にはＡＲマーカ３３ｂと認識され、第１の方向および第２の方向とは異なる方向から見た場合にはＡＲマーカ３３ａ、３３ｂと認識されないように断片化された複数のＡＲマーカ３３−１〜３３−３が表示されるようにしたので、室内機のデザインへの影響を抑えながら複数のＡＲマーカ３３ａ、３３ｂを埋め込むことが可能である。
【００５３】
なお、本発明の実施の形態にかかる空気調和機は、本発明の内容の一例を示すものであり、更なる別の公知の技術と組み合わせることも可能であるし、本発明の要旨を逸脱しない範囲で、一部を省略するなど、変更して構成することも可能であることは無論である。
【産業上の利用可能性】
【００５４】
以上のように、本発明は、空気調和機に適用可能であり、特に、更なる省エネ運転を図ることができる発明として有用である。
【符号の説明】
【００５５】
１００、１００ａ、１００ｂ、１０１、１０２、１０３、１０４、１０５  空気調和機
２、２−１、２−２、２−３、２−４  表示部
３０、３０ａ、３０ｂ、３０−１、３０−２、３０−３、３０−４、３０−５、３１−１、３１−２、３１−３、３１−４、３２、３２−１、３２−２、３２−３、３３ａ、３３ｂ、３３−１、３３−２、３３−３  ＡＲマーカ
４  記憶部
４ａ  固有情報
５  ＣＰＵ（演算部）
６  表示駆動部
７  運転状態検出部
７ａ  運転状態情報
８−１、８−２、８−３  リモコン（リモートコントローラ）
９  通信線
１０  吸込口
１１  スマートフォン
１３  カメラ
１４  サーバ
１６  吹出口
１７  化粧パネル
１８、１８−１、１８−２、１８−３、１８−４  周辺部
１９  室内機本体
２０、２１  ＣＧ
【図１】
0005804973.tif 000002
【図２】
0005804973.tif 000003
【図３】
0005804973.tif 000004
【図４】
0005804973.tif 000005
【図５】
0005804973.tif 000006
【図６】
0005804973.tif 000007
【図７】
0005804973.tif 000008
【図８】
0005804973.tif 000009
【図９】
0005804973.tif 000010
【図１０】
0005804973.tif 000011
【図１１】
0005804973.tif 000012
【図１２】
0005804973.tif 000013